(57)【要約】【課題】血行障害に対する治療効果を事前に判定することができる画像処理装置及び医用画像診断装置を提供すること。【解決手段】実施形態に係る画像処理装置は、算出部と、設定部と、変更部と、表示制御部とを備える。算出部は、血管を含む画像データを用いた流体解析により血管の血流に関する指標値を算出する。設定部は、画像データ中の血管における複数の対象部位を設定する。変更部は、対象部位の場所に対応する流体解析の解析条件を変更する。表示制御部は、複数の対象部位について、変更部によって変更された解析条件ごとに、算出部によって算出された血流に関する指標値を比較表示させる。【選択図】図１
2017140365.tif 000002
【特許請求の範囲】
【請求項１】
血管を含む画像データを用いた流体解析により前記血管の血流に関する指標値を算出する算出部と、
前記画像データ中の血管における複数の対象部位を設定する設定部と、
前記対象部位の場所に対応する前記流体解析の解析条件を変更する変更部と、
複数の前記対象部位について、前記変更部によって変更された前記解析条件ごとに、前記算出部によって算出された前記血流に関する指標値を比較表示させる表示制御部と、
を備える、画像処理装置。
【請求項２】
前記表示制御部は、前記解析条件ごとに算出された複数の指標値を、算出に用いられた解析条件を示す情報に対応付けて比較表示させる、請求項１に記載の画像処理装置。
【請求項３】
前記変更部は、前記解析条件として、前記対象部位における圧力、前記対象部位に留置されるステントの条件、前記対象部位における断面積、前記対象部位における形状、解析の対象範囲、又は、前記対象部位に対して施される手技を変更させる、請求項１又は２に記載の画像処理装置。
【請求項４】
前記変更部は、前記ステントの条件として、前記ステントを配置する位置、前記ステントの長さ及び前記ステントの直径のうち少なくとも１つを変更する、請求項３に記載の画像処理装置。
【請求項５】
前記算出部は、前記血流に関する指標値として、前記血管の各位置における心筋血流予備量比、圧力、血液の流量、血液の流速、ベクトル及びせん断応力のうち少なくとも１つを算出する、請求項１〜４のいずれか１項に記載の画像処理装置。
【請求項６】
前記表示制御部は、前記解析条件として前記ステントの長さ及び直径のうち少なくとも一方が変更される場合に、前記血管における心筋血流予備量比が所定の値を上回る前記ステントの最短の長さ及び最小の直径のうち少なくとも一方を表示させる、請求項４に記載の画像処理装置。
【請求項７】
血管を含む画像データを用いた流体解析により前記血管の血流に関する指標値を算出する算出部と、
前記画像データ中の血管における複数の対象部位を設定する設定部と、
前記対象部位に関する前記流体解析に用いられる圧力条件を変更する変更部と、
前記圧力条件の変更前後における前記血流に関する指標値を比較表示させる表示制御部と、
を備える、画像処理装置。
【請求項８】
血管を含む画像データを用いた流体解析により前記血管の血流に関する指標値を算出する算出部と、
前記画像データ中の血管における複数の対象部位を設定する設定部と、
前記対象部位を除外するように、前記流体解析の解析範囲を変更する変更部と、
前記解析範囲の変更前後における前記血流に関する指標値を比較表示させる表示制御部と、
を備える、画像処理装置。
【請求項９】
血管を含む画像データを収集する収集部と、
前記血管を含む画像データを用いた流体解析により前記血管の血流に関する指標値を算出する算出部と、
前記画像データ中の血管における複数の対象部位を設定する設定部と、
前記対象部位の場所に対応する前記流体解析の解析条件を変更する変更部と、
複数の前記対象部位について、前記変更部によって変更された前記解析条件ごとに、前記算出部によって算出された前記血流に関する指標値を比較表示させる表示制御部と、
を備える、医用画像診断装置。
【請求項１０】
血管を含む画像データを収集する収集部と、
前記血管を含む画像データを用いた流体解析により前記血管の血流に関する指標値を算出する算出部と、
前記画像データ中の血管における複数の対象部位を設定する設定部と、
前記対象部位に関する前記流体解析に用いられる圧力条件を変更する変更部と、
前記圧力条件の変更前後における前記血流に関する指標値を比較表示させる表示制御部と、
を備える、医用画像診断装置。
【請求項１１】
血管を含む画像データを収集する収集部と、
前記血管を含む画像データを用いた流体解析により前記血管の血流に関する指標値を算出する算出部と、
前記画像データ中の血管における複数の対象部位を設定する設定部と、
前記対象部位を除外するように、前記流体解析の解析範囲を変更する変更部と、
前記解析範囲の変更前後における前記血流に関する指標値を比較表示させる表示制御部と、
を備える、医用画像診断装置。
【発明の詳細な説明】
【技術分野】
【０００１】
本発明の実施形態は、画像処理装置及び医用画像診断装置に関する。
【背景技術】
【０００２】
従来、臓器の虚血性疾患の原因には、大別して血行障害と臓器そのものの機能障害とがあることが知られている。例えば、冠動脈の血行障害の一例である狭窄は、虚血性心疾患に至る重大な病変であるが、そのような虚血性心疾患では、薬物治療を行うべきか、ステント治療を行うべきか等を判断する必要がある。近年では、冠動脈の血行性虚血評価を行う診断として、カテーテルによる冠動脈造影検査（ＣＡＧ：Coronary  Angiography）においてプレッシャーワイヤを用いて心筋血流予備量比（ＦＦＲ：Fractional  Flow  Reserve）を計測する手法が推奨されつつある。
【０００３】
これに対し、例えば、Ｘ線ＣＴ（Computed  Tomography）装置やＭＲＩ（Magnetic  Resonance  Imaging）装置、超音波診断装置等の医用画像診断装置によって収集された心臓の医用画像を用いて冠動脈の血行性虚血評価を非侵襲的に行う手法も知られている。このように、種々の手法により血行性虚血評価が行われ、評価に応じた治療が行われるが、近年、実際の治療効果について治療前に判定することが望まれてきている。
【先行技術文献】
【特許文献】
【０００４】
【特許文献１】国際公開第２０１３／０３１７４４号
【特許文献２】特開２０１４−１８８３２３号公報
【特許文献３】特開２０１４−０７９６４９号公報
【特許文献４】特開２０１５−１３４１９６号公報
【特許文献５】特開２０１４−１００２４９号公報
【発明の概要】
【発明が解決しようとする課題】
【０００５】
本発明が解決しようとする課題は、血行障害に対する治療効果を事前に判定することができる画像処理装置及び医用画像診断装置を提供することである。
【課題を解決するための手段】
【０００６】
実施形態に係る画像処理装置は、算出部と、設定部と、変更部と、表示制御部とを備える。算出部は、血管を含む画像データを用いた流体解析により前記血管の血流に関する指標値を算出する。設定部は、前記画像データ中の血管における複数の対象部位を設定する。変更部は、前記対象部位の場所に対応する前記流体解析の解析条件を変更する。表示制御部は、複数の前記対象部位について、前記変更部によって変更された前記解析条件ごとに、前記算出部によって算出された前記血流に関する指標値を比較表示させる。
【図面の簡単な説明】
【０００７】
【図１】図１は、第１の実施形態に係る画像処理装置の構成の一例を示す図である。
【図２】図２は、第１の実施形態に係る処理の一例を説明するための図である。
【図３Ａ】図３Ａは、第１の実施形態に係る圧力変更の一例を説明するための図である。
【図３Ｂ】図３Ｂは、第１の実施形態に係る表示制御機能によって表示される表示情報の一例を示す図である。
【図４Ａ】図４Ａは、第１の実施形態に係る断面積変更の一例を説明するための図である。
【図４Ｂ】図４Ｂは、第１の実施形態に係る断面積の変更操作の一例を示す図である。
【図４Ｃ】図４Ｃは、第１の実施形態に係る表示制御機能によって表示される表示情報の一例を示す図である。
【図５Ａ】図５Ａは、第１の実施形態に係る直径変更の一例を説明するための図である。
【図５Ｂ】図５Ｂは、第１の実施形態に係る直径の変更操作の一例を示す図である。
【図５Ｃ】図５Ｃは、第１の実施形態に係る表示制御機能によって表示される表示情報の一例を示す図である。
【図６Ａ】図６Ａは、第１の実施形態に係る範囲変更の一例を説明するための図である。
【図６Ｂ】図６Ｂは、第１の実施形態に係る表示制御機能によって表示される表示情報の一例を示す図である。
【図７】図７は、第１の実施形態に係る画像処理装置による処理手順を示すフローチャートである。
【図８Ａ】図８Ａは、第２の実施形態に係る変更機能によるステントの条件変更を説明するための図である。
【図８Ｂ】図８Ｂは、第２の実施形態に係る変更機能によるステントの条件変更を説明するための図である。
【図９】図９は、第２の実施形態に係る画像処理装置による処理手順を示すフローチャートである。
【発明を実施するための形態】
【０００８】
以下に添付図面を参照して、本願に係る画像処理装置及び医用画像診断装置の実施形態を詳細に説明する。なお、本願に係る画像処理装置及び医用画像診断装置は、以下に示す実施形態によって限定されるものではない。
【０００９】
（第１の実施形態）
まず、第１の実施形態について説明する。第１の実施形態では、本願が開示する技術を画像処理装置に適用した場合の例を説明する。なお、以下では、３次元画像データとして、３次元ＣＴ画像データを用いる場合の例を説明する。また、以下では、一例として、心臓の血管を解析対象とした場合の例を説明する。
【００１０】
図１は、第１の実施形態に係る画像処理装置の構成の一例を示す図である。例えば、図１に示すように、第１の実施形態に係る画像処理装置３００は、ネットワーク４００を介して、Ｘ線ＣＴ（Computed  Tomography）装置１００と、画像保管装置２００とに接続される。なお、画像処理装置３００は、ネットワーク４００を介して、ＭＲＩ装置や超音波診断装置、ＰＥＴ（Positron  Emission  Tomography）装置等の他の医用画像診断装置にさらに接続されてもよい。
【００１１】
Ｘ線ＣＴ装置１００は、被検体のＣＴ画像データを収集する。具体的には、Ｘ線ＣＴ装置１００は、被検体を略中心にＸ線管及びＸ線検出器を旋回移動させ、被検体を透過したＸ線を検出して投影データを収集する。そして、Ｘ線ＣＴ装置１００は、収集された投影データに基づいて、時系列の３次元ＣＴ画像データを生成する。
【００１２】
画像保管装置２００は、各種の医用画像診断装置によって収集された画像データを保管する。例えば、画像保管装置２００は、サーバ装置等のコンピュータ機器によって実現される。本実施形態では、画像保管装置２００は、ネットワーク４００を介してＸ線ＣＴ装置１００からＣＴ画像データを取得し、取得したＣＴ画像データを装置内又は装置外に設けられた記憶回路に記憶させる。
【００１３】
画像処理装置３００は、ネットワーク４００を介して各種の医用画像診断装置から画像データを取得し、取得した画像データを処理する。例えば、画像処理装置３００は、ワークステーション等のコンピュータ機器によって実現される。本実施形態では、画像処理装置３００は、ネットワーク４００を介してＸ線ＣＴ装置１００又は画像保管装置２００からＣＴ画像データを取得し、取得したＣＴ画像データに対して各種画像処理を行う。そして、画像処理装置３００は、画像処理を行う前又は行った後のＣＴ画像データをディスプレイ等に表示する。
【００１４】
例えば、図１に示すように、画像処理装置３００は、Ｉ／Ｆ（インターフェース）回路３１０と、記憶回路３２０と、入力回路３３０と、ディスプレイ３４０と、処理回路３５０とを有する。
【００１５】
Ｉ／Ｆ回路３１０は、処理回路３５０に接続され、ネットワーク４００を介して接続された各種の医用画像診断装置又は画像保管装置２００との間で行われる各種データの伝送及び通信を制御する。例えば、Ｉ／Ｆ回路３１０は、ネットワークカードやネットワークアダプタ、ＮＩＣ（Network  Interface  Controller）等によって実現される。本実施形態では、Ｉ／Ｆ回路３１０は、Ｘ線ＣＴ装置１００又は画像保管装置２００からＣＴ画像データを受信し、受信したＣＴ画像データを処理回路３５０に出力する。
【００１６】
記憶回路３２０は、処理回路３５０に接続され、各種データを記憶する。例えば、記憶回路３２０は、ＲＡＭ（Random  Access  Memory）、フラッシュメモリ等の半導体メモリ素子や、ハードディスク、光ディスク等によって実現される。本実施形態では、記憶回路３２０は、Ｘ線ＣＴ装置１００又は画像保管装置２００から受信したＣＴ画像データを記憶する。
【００１７】
入力回路３３０は、処理回路３５０に接続され、操作者から受け付けた入力操作を電気信号に変換して処理回路３５０に出力する。例えば、入力回路３３０は、トラックボール、スイッチボタン、マウス、キーボード、タッチパネル等によって実現される。例えば、入力回路３３０は、対象部位を設定するための入力操作を受け付ける。
【００１８】
ディスプレイ３４０は、処理回路３５０に接続され、処理回路３５０から出力される各種情報及び各種画像データを表示する。例えば、ディスプレイ３４０は、液晶モニタやＣＲＴ（Cathode  Ray  Tube）モニタ、タッチパネル等によって実現される。
【００１９】
処理回路３５０は、入力回路３３０を介して操作者から受け付けた入力操作に応じて、画像処理装置３００が有する各構成要素を制御する。例えば、処理回路３５０は、プロセッサによって実現される。本実施形態では、処理回路３５０は、Ｉ／Ｆ回路３１０から出力されるＣＴ画像データを記憶回路３２０に記憶させる。また、処理回路３５０は、記憶回路３２０からＣＴ画像データを読み出し、ディスプレイ３４０に表示する。
【００２０】
このような構成のもと、本実施形態に係る画像処理装置３００は、血行障害に対する治療効果を事前に判定することを可能にする。具体的には、画像処理装置３００は、血管を含む医用画像（例えば、３次元ＣＴ画像データ等）を用いた流体解析により、血流に関する指標値を算出する。そして、画像処理装置３００は、流体解析に用いた解析条件を治療に基づいて変更し、変更後の解析条件で血流に関する指標値を再算出する。従って、画像処理装置３００は、解析条件の変更前後の指標値を比較させることにより、治療効果を事前に判定することを可能にする。
【００２１】
ここで、画像処理装置３００は、血流に関する指標値として、例えば、心筋血流予備量比（ＦＦＲ：Fractional  Flow  Reserve）や、血管内の力学的な指標、血液の流量に関する指標などを算出する。ＦＦＲは、血管において心臓から近い近位部における圧力と、心臓から遠い遠位部における圧力との比であり、例えば、「ＦＦＲ＝Ｐｄ（遠位部の圧力）／Ｐａ（近位部の圧力）」で表される。例えば、血管に狭窄（対象部位）が生じている場合、狭窄により遠位部の圧力が低下するため、ＦＦＲの値は低下する。画像処理装置３００は、このような対象部位に治療を施した場合に、ＦＦＲの値がどのように変化するかをシミュレーションにより算出することで、治療効果の判定を事前に行うことを可能にする。なお、画像処理装置３００は、血管内の力学的な指標として、例えば、圧力、ベクトル、せん断応力などを算出することができる。また、画像処理装置３００は、血液の流量に関する指標として、流量及び流速などを算出することができる。
【００２２】
以下、第１の実施形態では、冠動脈に生じた狭窄の治療効果を判定する場合を例に挙げて説明する。本実施形態に係る処理回路３５０は、取得機能３５１と、抽出機能３５２と、設定機能３５３と、変更機能３５４と、算出機能３５５と、表示制御機能３５６とを備える。ここで、変更機能３５４は、特許請求の範囲における変更部の一例である。また、算出機能３５５は、特許請求の範囲における算出部の一例である。また、表示制御機能３５６は、特許請求の範囲における表示制御部の一例である。
【００２３】
取得機能３５１は、被検体の血管が描出された時系列の３次元ＣＴ画像データを取得する。具体的には、取得機能３５１は、ネットワーク４００を介してＸ線ＣＴ装置１００又は画像保管装置２００から３次元ＣＴ画像データを取得し、取得した３次元ＣＴ画像データを記憶回路３２０に記憶させる。
【００２４】
抽出機能３５２は、取得機能３５１によって取得された３次元ＣＴ画像データから血管の形状を表す時系列の血管形状データを抽出する。具体的には、抽出機能３５２は、記憶回路３２０から３次元ＣＴ画像データを読み出し、読み出した３次元ＣＴ画像データに対して画像処理を行うことで、血管形状データを抽出する。
【００２５】
ここで、抽出機能３５２は、３次元ＣＴ画像データに含まれる血管領域に指標値を算出する対象領域を設定する。具体的には、抽出機能３５２は、操作者による入力回路３３０を介した指示又は画像処理によって、血管領域に対象領域を設定する。そして、抽出機能３５２は、設定した対象領域の血管形状データとして、例えば、血管の芯線（芯線の座標情報）、芯線に垂直な断面での血管及び内腔の断面積、芯線に垂直な断面での円柱方向の、芯線から内壁までの距離及び芯線から外壁までの距離などを３次元ＣＴ画像データから抽出する。なお、抽出機能３５２は、解析手法に応じて、その他種々の血管形状データを抽出することができる。
【００２６】
設定機能３５３は、流体解析の解析条件を設定する。具体的には、設定機能３５３は、解析条件として、血液の物性値、反復計算の条件、解析の初期値などを設定する。例えば、設定機能３５３は、血液の物性値として、血液の粘性、密度などを設定する。また、設定機能３５３は、反復計算の条件として、反復計算における最大反復回数、緩和係数、残差の許容値などを設定する。また、設定機能３５３は、解析の初期値として、流量、圧力、流体抵抗、圧力境界の初期値などを設定する。なお、設定機能３５３によって用いられる各種値は、システムに予め組み込んでおいてもよいし、操作者が対話的に定義してもよいし、算出機能３５５の一部の機能を用いて設定してもよい。
【００２７】
また、設定機能３５３は、画像データ中の血管における対象部位（例えば、治療対象部位など）を設定する。具体的には、設定機能３５３は、血管における複数の対象部位を、手動又は自動で設定する。例えば、設定機能３５３は、入力回路３３０を介して受け付けられた範囲を対象部位として設定する。かかる場合には、入力回路３３０が、解析条件を変更する範囲（対象部位）を受け付け、設定機能３５３が受け付けられた範囲を対象部位として設定する。また、設定機能３５３は、抽出機能３５２によって設定された対象領域内の形状に基づいて、対象部位を自動で設定する。例えば、設定機能３５３は、対象領域内の形状に基づいて狭窄部分を抽出し、抽出した狭窄部分のうち一定の狭窄度以上となる狭窄部分を対象部位として設定する。なお、狭窄部分の抽出は、任意の手法を用いることができる。
【００２８】
変更機能３５４は、血管における対象部位について流体解析の解析条件を変更する。具体的には、変更機能３５４は、抽出機能３５２によって抽出された血管形状データや、設定機能３５３によって設定された解析条件を変更する。例えば、変更機能３５４は、対象部位における圧力、対象部位に留置されるステントの条件、対象部位における断面積、対象部位における形状、解析の対象範囲、又は、対象部位に対して施される手技を変更させる。すなわち、変更機能３５４は、狭窄などの対象部位に対して治療を施すことによって変化するであろうパラメータを変更させ、後述の算出機能３５５に指標値を再計算させる。なお、変更機能３５４による処理の詳細については、後述する。
【００２９】
算出機能３５５は、血管を含む画像データを用いた流体解析により血管の血流に関する指標値を算出する。具体的には、算出機能３５５は、抽出機能３５２によって抽出された血管形状データと、設定機能３５３によって設定された解析条件とを用いた流体解析を実行し、血管の対象領域における血流に関する指標値を算出する。例えば、算出機能３５５は、血管の内腔や外壁の輪郭、血管の断面積及び芯線などの血管形状データと、血液の物性値、反復計算の条件及び解析の初期値などの設定条件に基づいて、血管の所定の位置ごとに、圧力、血液の流量、血液の流速、ベクトル及びせん断応力などの指標値を算出する。そして、算出機能３５５は、算出した指標値からさらにＦＦＲなどの指標値を算出する。
【００３０】
図２は、第１の実施形態に係る処理の一例を説明するための図である。図２に示すように、例えば、抽出機能３５２は、大動脈及び冠動脈を含む３次元ＣＴ画像データから、対象領域であるＬＡＤについて、芯線の座標や断面情報を含む血管形状データを抽出する。設定機能３５３は、抽出されたＬＡＤを対象とする解析の解析条件を設定する。算出機能３５５は、抽出されたＬＡＤの血管形状データ及び設定された条件を用いて流体解析を行うことで、例えば、対象領域ＬＡＤの入口の境界から出口の境界まで、芯線に沿った所定の位置ごとに圧力、血液の流量、血液の流速、ベクトル及びせん断応力などの指標値を算出する。すなわち、算出機能３５５は、対象領域について、圧力、血液の流量、血液の流速、ベクトル及びせん断応力などの分布を算出する。そして、算出機能３５５は、例えば、算出した圧力分布に基づいて、対象領域における各位置のＦＦＲを算出する。
【００３１】
上述したように、算出機能３５５は、抽出機能３５２によって抽出された血管形状データと、設定機能３５３によって設定された条件とを用いた流体解析を行うことで、血流に関する指標値を算出する。ここで、本実施形態に係る算出機能３５５は、変更機能３５４によって変更された条件を用いて、再度流体解析を実行する。すなわち、算出機能３５５は、狭窄などの対象部位に対する治療を想定して変更された条件で流体解析を行うことで、治療後の指標値についてシミュレーションを実行する。
【００３２】
表示制御機能３５６は、算出機能３５５によって算出された血流に関する指標値をディスプレイ３４０に表示させる。具体的には、表示制御機能３５６は、変更機能３５４による条件の変更前の流体解析の結果と、変更機能３５４による条件の変更後の流体解析の結果とをディスプレイ３４０に表示させる。
【００３３】
上述したように、本実施形態に係る画像処理装置３００は、画像データを用いた流体解析における解析条件を治療内容に応じて変更し、変更後の条件で再度流体解析を行って指標値を算出して表示する。これにより、観察者は、画像処理装置３００によって表示された指標値を確認することで、治療の効果を判定することができる。ここで、本実施形態においては、解析条件として、対象部位における圧力、対象部位における断面積、対象部位における形状、又は、解析の対象範囲を変更させる。すなわち、入力回路３３０が、対象部位に対する治療内容の情報を受け付け、変更機能３５４に送信する。変更機能３５４は、入力回路３３０を介して受け付けた治療内容に応じて上記した条件を変更し、算出機能３５５が変更後の条件で指標値を算出する。以下、各条件の変更について、順に説明する。
【００３４】
（圧力の変更）
まず、圧力を変更する場合について説明する。この場合、変更機能３５４は、入力回路３３０によって受け付けた治療内容に応じて流体解析の圧力の初期値を変更する。例えば、対象領域の血管において所定の位置にある狭窄に対して治療を行う旨の情報を受け付けた場合、変更機能３５４は、所定の位置の圧力を所定の値に変更する。図３Ａは、第１の実施形態に係る圧力変更の一例を説明するための図である。図３Ａにおいては、上段に血管の対象領域を示し、中段に条件変更前の入口から出口までの圧力分布のグラフを示し、下段に条件変更後の入口から出口までの圧力分布のグラフを示す。
【００３５】
例えば、図３Ａの上段に示すように、対象領域の血管に対象部位である「狭窄１」と「狭窄２」があった場合、これらの狭窄に対する治療に応じて、変更機能３５４は圧力の条件を変更する。一例を挙げると、図３Ａにおける「狭窄１」に対してステントを留置する治療を行う場合、変更機能３５４は、対象領域の「狭窄１」の位置における圧力を治療に応じた値に変更する。例えば、変更機能３５４は、狭窄がない血管における圧力損失の情報に基づいて圧力の値を変更する。すなわち、変更機能３５４は、対象領域と同一の血管において、入口から「狭窄１」までの距離で狭窄がない場合の圧力損失の情報に基づいて、「狭窄１」の位置における圧力の値を変更する。
【００３６】
例えば、変更機能３５４は、図３Ａの中段の楕円で囲んだ圧力の分布を、図３Ａの下段の対応する位置に示す圧力の分布に変更する。算出機能３５５は、変更機能３５４によって変更された圧力の条件で対象領域における指標値を算出する。換言すると、算出機能３５５は、「狭窄１」の位置の圧力が、変更後の圧力となるように流体解析を行うことで、種々の指標値を算出する。表示制御機能３５６は、算出機能３５５によって算出された指標値をディスプレイ３４０に表示させる。例えば、表示制御機能３５６は、図３Ａに示すように、「狭窄１」に対応する位置の圧力が所定の値に変更され、再算出されたＦＦＲをディスプレイ３４０に表示させる。
【００３７】
ここで、変更機能３５４は、対象部位が複数含まれる場合に、各対象部位について、圧力を変更することができる。例えば、変更機能３５４は、図３Ａに示す「狭窄１」と「狭窄２」について、それぞれ圧力を変更して、変更した条件ごとに指標値を算出させることができる。すなわち、変更機能３５４は、複数の対象部位についてそれぞれ条件を変更させることができ、算出機能３５５は、条件ごとの指標値を算出することができる。表示制御機能３５６は、血管における複数の対象部位について、変更機能３５４によって変更された解析条件ごとに、算出機能３５５によって算出された血流に関する指標値を比較表示させる。
【００３８】
図３Ｂは、第１の実施形態に係る表示制御機能３５６によって表示される表示情報の一例を示す図である。図３Ｂにおいては、図３Ａに示す血管の２つの狭窄に対して治療を行った場合の各条件におけるＦＦＲのシミュレーション結果を示す。例えば、表示制御機能３５６は、図３Ｂに示すように、変更前「狭窄１（圧力：変更なし）、狭窄２（圧力：変更なし）」におけるＦＦＲの解析結果と、変更後「狭窄１（圧力：変更なし）、狭窄２（圧力：ｂ）」におけるＦＦＲの解析結果と、変更後「狭窄１（圧力：ａ）、狭窄２（圧力：変更なし）」におけるＦＦＲの解析結果と、変更後「狭窄１（圧力：ａ）、狭窄２（圧力：ｂ）」におけるＦＦＲの解析結果とを比較表示させる。
【００３９】
ここで、観察者は、図３Ｂに示すＦＦＲの解析結果を参照して、「狭窄１（圧力：変更なし）、狭窄２（圧力：ｂ）」よりも「狭窄１（圧力：ａ）、狭窄２（圧力：変更なし）」の方がＦＦＲの値が改善していることから、「狭窄１」を治療するほうが効果が高いと判断することができる。さらに、観察者は、ＦＦＲの値に基づいて、「狭窄１」だけの治療で十分なのか、或いは、「狭窄１」及び「狭窄２」の両方を治療すべきなのかを容易に判断することができる。
【００４０】
（断面積の変更）
次に、断面積を変更する場合について説明する。この場合、変更機能３５４は、入力回路３３０によって受け付けた治療内容に応じて流体解析の断面積の値を変更する。例えば、対象領域の血管において所定の位置にある狭窄に対して治療を行う旨の情報を受け付けた場合、変更機能３５４は、所定の位置の断面積を所定の値に変更する。図４Ａは、第１の実施形態に係る断面積変更の一例を説明するための図である。図４Ａにおいては、上段に血管の対象領域を示し、中段に条件変更前の入口から出口までの血管の断面積のグラフを示し、下段に条件変更後の入口から出口までの血管の断面積のグラフを示す。
【００４１】
例えば、図４Ａの上段に示すように、対象領域の血管に対象部位である「狭窄１」と「狭窄２」があった場合、これらの狭窄に対する治療に応じて、変更機能３５４は断面積の条件を変更する。一例を挙げると、図４Ａにおける「狭窄１」に対してステントを留置する治療を行う場合、変更機能３５４は、対象領域の「狭窄１」の位置における断面積をステントの断面積に応じた値に変更する。例えば、変更機能３５４は、治療に用いられるステントの半径方向の断面における断面積を取得し、「狭窄１」に対応する位置の断面積を取得した断面積に変更する。すなわち、変更機能３５４は、血管形状データにおいて、「狭窄１」に対応する位置の芯線に垂直な断面の断面積を、取得した断面積に変更する。
【００４２】
例えば、変更機能３５４は、図４Ａの中段の楕円で囲んだ領域の断面積を、図４Ａの下段の対応する位置に示す断面積に変更する。算出機能３５５は、変更機能３５４によって変更された断面積の条件で対象領域における指標値を算出する。すなわち、算出機能３５５は、血管形状データにおける「狭窄１」の位置の断面積を変更して流体解析を行うことで、種々の指標値を算出する。表示制御機能３５６は、算出機能３５５によって算出された指標値をディスプレイ３４０に表示させる。例えば、表示制御機能３５６は、図４Ａに示すように、「狭窄１」に対応する位置の断面積が治療に応じた値に変更され、再算出されたＦＦＲをディスプレイ３４０に表示させる。
【００４３】
ここで、断面積の変更は、上述したステントのサイズに基づく変更であってもよいが、観察者によって画像上で変更操作が実行されてもよい。図４Ｂは、第１の実施形態に係る断面積の変更操作の一例を示す図である。ここで、図４Ｂは、血管の対象領域のＣＰＲ（Curved  Multi  Planar  Reconstruction）画像を示す。例えば、抽出機能３５２は、図４Ｂに示すように、取得機能３５１によって取得された３次元ＣＴ画像データから芯線を抽出し、抽出した芯線に沿って血管を展開したＣＰＲ画像を生成する。ここで、抽出機能３５２は、図４Ｂに示すように、狭窄が描出されるようにＣＰＲ画像を生成する。そして、表示制御機能３５６が、生成されたＣＰＲ画像をディスプレイ３４０に表示させ、入力回路３３０が断面積の変更操作を受け付ける。例えば、入力回路３３０は、図４Ｂに示すように、ＣＰＲ画像上に直線Ｌ１及び直線Ｌ２を設定する操作を受け付ける。
【００４４】
抽出機能３５２は、入力回路３３０を介して受け付けた直線Ｌ１及び直線Ｌ２に基づいて、血管形状データを修正し、断面積を再抽出する。すなわち、抽出機能３５２は、直線Ｌ１及び直線Ｌ２を血管の内腔の壁として（直線Ｌ１及び直線Ｌ２によって狭窄領域を削除して）断面積を再抽出する。なお、図４Ｂに示すＣＰＲ画像は、指標値の解析結果とともにディスプレイ３４０に表示される場合であってもよい。すなわち、表示制御機能３５６は、断面積の変更後の形状を示す画像を解析結果とともに表示させる。図４Ｂでは、１方向からのＣＰＲ画像を示したが、実施形態はこれに限定されるものではなく、例えば、複数方向から展開したＣＰＲ画像をそれぞれ表示させ、断面積の変更操作に用いられる場合であってもよい。
【００４５】
また、変更機能３５４は、圧力の変更と同様に、対象部位が複数含まれる場合に、各対象部位について、断面積を変更することができる。例えば、変更機能３５４は、図４Ａに示す「狭窄１」と「狭窄２」について、それぞれ断面積を変更して、変更した条件ごとに指標値を算出させることができる。図４Ｃは、第１の実施形態に係る表示制御機能３５６によって表示される表示情報の一例を示す図である。図４Ｃにおいては、図４Ａに示す血管の２つの狭窄に対して治療を行った場合の各条件におけるＦＦＲのシミュレーション結果を示す。例えば、表示制御機能３５６は、図４Ｃに示すように、変更前「狭窄１（断面積：変更なし）、狭窄２（断面積：変更なし）」におけるＦＦＲの解析結果と、変更後「狭窄１（断面積：変更なし）、狭窄２（断面積：ｄ）」におけるＦＦＲの解析結果と、変更後「狭窄１（断面積：ｃ）、狭窄２（断面積：変更なし）」におけるＦＦＲの解析結果と、変更後「狭窄１（断面積：ｃ）、狭窄２（断面積：ｄ）」におけるＦＦＲの解析結果とを比較表示させる。ここで、観察者は、圧力の場合と同様に、図４Ｃに示すＦＦＲの解析結果を参照して、治療の効果を判定することができる。
【００４６】
（直径の変更）
次に、直径を変更する場合について説明する。この場合、変更機能３５４は、入力回路３３０によって受け付けた治療内容に応じて流体解析の直径の値を変更する。例えば、対象領域の血管において所定の位置にある狭窄に対して治療を行う旨の情報を受け付けた場合、変更機能３５４は、所定の位置の直径を所定の値に変更する。図５Ａは、第１の実施形態に係る直径変更の一例を説明するための図である。図５Ａにおいては、上段に血管の対象領域を示し、中段に条件変更前の入口から出口までの血管の直径のグラフを示し、下段に条件変更後の入口から出口までの血管の直径のグラフを示す。
【００４７】
例えば、図５Ａの上段に示すように、対象領域の血管に対象部位である「狭窄１」と「狭窄２」があった場合、これらの狭窄に対する治療に応じて、変更機能３５４は直径の条件を変更する。一例を挙げると、図５Ａにおける「狭窄１」に対してステントを留置する治療を行う場合、変更機能３５４は、対象領域の「狭窄１」の位置における直径をステントの直径に応じた値に変更する。例えば、変更機能３５４は、治療に用いられるステントの直径を取得し、「狭窄１」に対応する位置の直径を取得した直径に変更する。すなわち、変更機能３５４は、血管形状データにおいて、「狭窄１」に対応する位置の芯線に垂直な断面の直径を、取得した直径に変更する。
【００４８】
例えば、変更機能３５４は、図５Ａの中段の楕円で囲んだ領域の直径を、図５Ａの下段の対応する位置に示す直径に変更する。算出機能３５５は、変更機能３５４によって変更された直径の条件で対象領域における指標値を算出する。すなわち、算出機能３５５は、血管形状データにおける「狭窄１」の位置の直径を変更して流体解析を行うことで、種々の指標値を算出する。表示制御機能３５６は、算出機能３５５によって算出された指標値をディスプレイ３４０に表示させる。例えば、表示制御機能３５６は、図５Ａに示すように、「狭窄１」に対応する位置の直径が治療に応じた値に変更され、再算出されたＦＦＲをディスプレイ３４０に表示させる。
【００４９】
ここで、直径の変更は、上述したステントのサイズに基づく変更であってもよいが、観察者によって画像上で変更操作が実行されてもよい。図５Ｂは、第１の実施形態に係る直径の変更操作の一例を示す図である。ここで、図５Ｂは、「狭窄１」の位置に対応する芯線に垂直な断面のＭＰＲ（Multi  Planar  Reconstruction）画像を示す。例えば、抽出機能３５２は、図５Ｂに示すように、取得機能３５１によって取得された３次元ＣＴ画像データから芯線を抽出し、「狭窄１」の位置で芯線に垂直な断面のＭＰＲ画像を生成する。そして、表示制御機能３５６が、生成されたＭＰＲ画像をディスプレイ３４０に表示させ、入力回路３３０が直径の変更操作を受け付ける。例えば、入力回路３３０は、図５Ｂに示すように、ＭＰＲ画像上に円Ｌ３を設定する操作を受け付ける。
【００５０】
抽出機能３５２は、入力回路３３０を介して受け付けた円Ｌ３に基づいて、血管形状データを修正し、直径を再抽出する。すなわち、抽出機能３５２は、円Ｌ３を血管の内腔の壁として直径を再抽出する。なお、図５Ｂに示すＭＰＲ画像は、指標値の解析結果とともにディスプレイ３４０に表示される場合であってもよい。図５Ｂでは、「狭窄１」に対応する位置の１断面のＭＰＲ画像を示したが、実施形態はこれに限定されるものではなく、例えば、「狭窄１」に対応する位置の複数の断面のＭＰＲ画像をそれぞれ表示させ、直径の変更操作に用いられる場合であってもよい。また、直径の変更操作において、図４Ｂに示すＣＰＲ画像が用いられる場合であってもよい。逆に、断面積の変更操作において、図５Ｂに示すＭＰＲ画像が用いられる場合であってもよい。
【００５１】
また、変更機能３５４は、対象部位が複数含まれる場合に、各対象部位について、直径を変更することができる。例えば、変更機能３５４は、図５Ａに示す「狭窄１」と「狭窄２」について、それぞれ直径を変更して、変更した条件ごとに指標値を算出させることができる。図５Ｃは、第１の実施形態に係る表示制御機能３５６によって表示される表示情報の一例を示す図である。図５Ｃにおいては、図５Ａに示す血管の２つの狭窄に対して治療を行った場合の各条件におけるＦＦＲのシミュレーション結果を示す。例えば、表示制御機能３５６は、図５Ｃに示すように、変更前「狭窄１（直径：変更なし）、狭窄２（直径：変更なし）」におけるＦＦＲの解析結果と、変更後「狭窄１（直径：変更なし）、狭窄２（直径：ｆ）」におけるＦＦＲの解析結果と、変更後「狭窄１（直径：ｅ）、狭窄２（直径：変更なし）」におけるＦＦＲの解析結果と、変更後「狭窄１（直径：ｅ）、狭窄２（直径：ｆ）」におけるＦＦＲの解析結果とを比較表示させる。ここで、観察者は、図５Ｃに示すＦＦＲの解析結果を参照して、治療の効果を判定することができる。
【００５２】
（範囲の変更）
次に、範囲を変更する場合について説明する。この場合、変更機能３５４は、入力回路３３０によって受け付けた治療内容に応じて流体解析の解析範囲を変更する。例えば、対象領域の血管において所定の位置にある狭窄に対して治療を行う旨の情報を受け付けた場合、変更機能３５４は、所定の位置を削除するように、解析範囲を変更する。図６Ａは、第１の実施形態に係る範囲変更の一例を説明するための図である。図６Ａにおいては、血管の対象領域を示し、変更前後の解析範囲を示す。
【００５３】
例えば、図６Ａに示すように、対象領域の血管に対象部位である「狭窄１」と「狭窄２」があった場合、これらの狭窄に対する治療に応じて、変更機能３５４は解析範囲を変更する。一例を挙げると、図６Ａにおける「狭窄１」に対してステントを留置する治療を行う場合、図６Ａに示すように、変更機能３５４は、対象領域の「狭窄１」に対応する範囲を除外して、その他の範囲を対象範囲とするように解析範囲を変更する。
【００５４】
算出機能３５５は、変更機能３５４によって変更された範囲を解析対象の範囲として指標値を算出する。すなわち、算出機能３５５は、血管形状データにおける「狭窄１」の位置を除外して流体解析を行うことで、種々の指標値を算出する。例えば、算出機能３５５は、図６Ａにおいて、入口側の対象範囲の右端における圧力の値を用いて、出口側の対象範囲の左端における圧力の値を算出する。すなわち、算出機能３５５は、出口側の対象範囲における血流に関する指標値を、入口側の対象範囲における値を用いて算出する。表示制御機能３５６は、算出機能３５５によって算出された指標値をディスプレイ３４０に表示させる。例えば、表示制御機能３５６は、図６Ａに示すように、「狭窄１」に対応する範囲が除外され、再算出されたＦＦＲをディスプレイ３４０に表示させる。
【００５５】
また、変更機能３５４は、対象部位が複数含まれる場合に、各対象部位について、範囲を変更することができる。例えば、変更機能３５４は、図６Ａに示す「狭窄１」と「狭窄２」について、それぞれ範囲を変更して、変更した条件ごとに指標値を算出させることができる。図６Ｂは、第１の実施形態に係る表示制御機能３５６によって表示される表示情報の一例を示す図である。図６Ｂにおいては、図６Ａに示す血管の２つの狭窄に対して治療を行った場合の各条件におけるＦＦＲのシミュレーション結果を示す。例えば、表示制御機能３５６は、図６Ｂに示すように、変更前「狭窄１（変更なし）、狭窄２（変更なし）」におけるＦＦＲの解析結果と、変更後「狭窄１（変更なし）、狭窄２（除外）」におけるＦＦＲの解析結果と、変更後「狭窄１（除外）、狭窄２（変更なし）」におけるＦＦＲの解析結果と、変更後「狭窄１（除外）、狭窄２（除外）」におけるＦＦＲの解析結果とを比較表示させる。ここで、観察者は、図６Ｂに示すＦＦＲの解析結果を参照して、治療の効果を判定することができる。
【００５６】
以上、処理回路３５０が有する各処理機能について説明した。ここで、例えば、上述した各処理機能は、コンピュータによって実行可能なプログラムの形態で記憶回路３２０に記憶される。処理回路３５０は、各プログラムを記憶回路３２０から読み出し、読み出した各プログラムを実行することで、各プログラムに対応する処理機能を実現する。換言すると、各プログラムを読み出した状態の処理回路３５０は、図１に示した各処理機能を有することとなる。
【００５７】
なお、図１では、単一の処理回路３５０によって各処理機能が実現される場合の例を説明したが、実施形態はこれに限られない。例えば、処理回路３５０は、複数の独立したプロセッサを組み合わせて構成され、各プロセッサが各プログラムを実行することにより各処理機能を実現するものとしても構わない。また、処理回路３５０が有する各処理機能は、単一又は複数の処理回路に適宜に分散又は統合されて実現されてもよい。
【００５８】
次に、第１の実施形態に係る画像処理装置３００による処理の手順について説明する。図７は、第１の実施形態に係る画像処理装置３００による処理手順を示すフローチャートである。ここで、図７におけるステップＳ１０１は、例えば、処理回路３５０が取得機能３５１に対応するプログラムを記憶回路３２０から呼び出して実行することにより実現される。また、ステップＳ１０２及びステップＳ１０４は、例えば、処理回路３５０が算出機能３５５に対応するプログラムを記憶回路３２０から呼び出して実行することにより実現される。また、ステップＳ１０３及びステップＳ１０４は、例えば、処理回路３５０が変更機能３５４に対応するプログラムを記憶回路３２０から呼び出して実行することにより実現される。また、ステップＳ１０５は、例えば、処理回路３５０が表示制御機能３５６に対応するプログラムを記憶回路３２０から呼び出して実行することにより実現される。
【００５９】
本実施形態に係る画像処理装置３００では、まず、処理回路３５０が、時系列の３次元ＣＴ画像データを取得する（ステップＳ１０１）。そして、処理回路３５０が、対象範囲の指標値を算出する（ステップＳ１０２）。続いて、処理回路３５０が、変更操作を受け付けたか否かを判定する（ステップＳ１０３）。ここで、変更操作を受け付けると（ステップＳ１０３肯定）、処理回路３５０は、流体解析の条件を変更して、指標値を再度算出する（ステップＳ１０４）。さらに、処理回路３５０は、条件ごとの指標値を比較表示させる（ステップＳ１０５）。
【００６０】
上述したように、第１の実施形態によれば、算出機能３５５は、血管を含む画像データを用いた流体解析により血管の血流に関する指標値を算出する。変更機能３５４は、血管における対象部位について流体解析の解析条件を変更する。表示制御機能３５６は、血管における複数の対象部位について、変更機能３５４によって変更された解析条件ごとに、算出機能３５５によって算出された血流に関する指標値を比較表示させる。従って、第１の実施形態に係る画像処理装置３００は、複数の対象部位に関して、血行障害に対する治療効果を事前に判定することを可能にする。
【００６１】
また、第１の実施形態によれば、表示制御機能３５６は、解析条件ごとに算出された複数の指標値を、算出に用いられた解析条件を示す情報に対応付けて比較表示させる。従って、第１の実施形態に係る画像処理装置３００は、複数の対象部位に対する治療効果を容易に判定することを可能にする。
【００６２】
また、第１の実施形態によれば、変更機能３５４は、解析条件として、対象部位における圧力、対象部位に留置されるステントの条件、対象部位における断面積、対象部位における形状、解析の対象範囲、又は、対象部位に対して施される手技を変更させる。従って、第１の実施形態に係る画像処理装置３００は、治療による変化を反映させた流体解析を実行することができる。
【００６３】
また、第１の実施形態によれば、算出機能３５５は、血流に関する指標値として、血管の各位置におけるＦＦＲ、圧力、血液の流量、血液の流速、ベクトル及びせん断応力のうち少なくとも１つを算出する。従って、第１の実施形態に係る画像処理装置３００は、血流に関する種々の指標値を用いて治療効果の判定を行うことができる。
【００６４】
上述したように、第１の実施形態に係る画像処理装置３００は、解析条件を変更し、血流に関する指標値を算出して比較表示させることで、複数の対象部位に関して、血行障害に対する治療効果を事前に判定することを可能にする。さらに、画像処理装置３００は、例えば、圧力などの血流に関する情報を変更して指標値を算出することから、流体解析に係る処理負荷や処理時間を低減することができる。すなわち、画像処理装置３００は、血流系の情報を変更して指標値を算出することで、血管の形状を変化させずに流体解析を行うことができる。近年、ボリュームデータの高精細化に伴い、データサイズが大きくなっているため、流体解析に係る処理負荷が大きくなるとともに、処理時間が長くなる場合がある。これに対して、第１の実施形態に係る画像処理装置３００は、血管の形状を変化させずに、圧力などの血流系の情報を修正して流体解析を行うことで、処理負荷と処理時間を低減させることができる。
【００６５】
（第２の実施形態）
次に、第２の実施形態について説明する。なお、本実施形態に係る画像処理装置の構成は、基本的には、図１に示した画像処理装置３００の構成と同じである。そのため、以下では、第１の実施形態に係る画像処理装置３００と異なる点を中心に説明することとし、図１に示した構成要素と同様の役割を果たす構成要素については同じ符号を付すこととして詳細な説明を省略する。
【００６６】
上述した第１の実施形態では、治療に応じて条件を変更することで、治療効果を判定する場合について説明した。第２の実施形態では、効果の高い治療を提示する場合について説明する。例えば、第２の実施形態に係る画像処理装置３００は、狭窄に対してステントを留置する場合に、ステントを留置する位置や、ステントのサイズなどを切り替えてシミュレーションを実行し、結果を提示する。
【００６７】
第２の実施形態に係る変更機能３５４は、ステントの条件として、ステントを配置する位置、ステントの長さ及びステントの直径のうち少なくとも１つを変更する。図８Ａ及び図８Ｂは、第２の実施形態に係る変更機能３５４によるステントの条件変更を説明するための図である。ここで、図８Ａは、ステントの位置を変更する場合を示す。また、図８Ｂは、ステントの長さを変更する場合を示す。
【００６８】
例えば、変更機能３５４は、図８Ａに示すように、狭窄に対するステントの配置を少しずつ変更し、算出機能３５５は、各配置におけるＦＦＲの値を算出する。一例を挙げると、変更機能３５４は、ステントのサイズを一定にして、留置する位置をずらしながら、各位置におけるＦＦＲの値を算出させる。表示制御機能３５６は、ＦＦＲの値が最も高くなる位置の情報を観察者に提示する。例えば、表示制御機能３５６は、図８Ａに示すように、ＦＦＲの値が最も高くなる位置にステント画像を配置したＣＰＲ画像をディスプレイ３４０に表示させる。これにより、観察者は、効果の高いステントの留置位置を容易に把握することができる。
【００６９】
また、変更機能３５４は、図８Ｂに示すように、狭窄に対して留置するステントのサイズを少しずつ変更し、算出機能３５５は、各サイズにおけるＦＦＲの値を算出する。ここで、体内にステントを留置する場合、サイズが小さい方が被検体に対する影響が少ない。そこで、変更機能３５４は、ステントのサイズが小さいほうから順に変更し、ＦＦＲの値を算出させる。例えば、変更機能３５４は、短いステントから順に所定の長さまでステントサイズを変更し、各サイズでのＦＦＲの値を算出させる。また、変更機能３５４は、例えば、直径の小さいステントから順に所定の大きさまでステントサイズを変更し、各サイズでのＦＦＲの値を算出させる。
【００７０】
ここで、長さ及び直径は、留置される血管のサイズに基づいて上限が決められてもよい。すなわち、変更機能３５４は、ステントを留置する血管のサイズ（例えば、直径や、血管壁の厚みなど）に基づいて、留置するステントの長さや直径の下限と上限の範囲をそれぞれ設定する。そして、変更機能３５４は、設定した範囲において短いもの、或いは、直径が小さいものから順にステントを変更してＦＦＲの値を算出させる。
【００７１】
第２の実施形態に係る表示制御機能３５６は、解析条件としてステントの長さ及び直径のうち少なくとも一方が変更される場合に、血管におけるＦＦＲが所定の値を上回るステントの最短の長さ及び最小の直径のうち少なくとも一方を表示させる。すなわち、表示制御機能３５６は、治療効果の高いステントのうち、被検体に最も影響の少ないステントの情報を表示する。例えば、表示制御機能３５６は、ＦＦＲの値が所定の閾値（例えば、０．９など）を超えたときのステントの条件をディスプレイ３４０に表示させる。
【００７２】
次に、第２の実施形態に係る画像処理装置３００による処理の手順について説明する。図９は、第２の実施形態に係る画像処理装置３００による処理手順を示すフローチャートである。ここで、図９におけるステップＳ２０１は、例えば、処理回路３５０が取得機能３５１に対応するプログラムを記憶回路３２０から呼び出して実行することにより実現される。また、ステップＳ２０２は、例えば、処理回路３５０が変更機能３５４及び算出機能３５５に対応するプログラムを記憶回路３２０から呼び出して実行することにより実現される。また、ステップＳ２０３及びステップＳ２０４は、例えば、処理回路３５０が表示制御機能３５６に対応するプログラムを記憶回路３２０から呼び出して実行することにより実現される。
【００７３】
本実施形態に係る画像処理装置３００では、まず、処理回路３５０が、時系列の３次元ＣＴ画像データを取得する（ステップＳ２０１）。そして、処理回路３５０が、ステントの条件ごとに指標値を算出する（ステップＳ２０２）。続いて、処理回路３５０が、指標値が所定の閾値を超えたか否かを判定する（ステップＳ２０３）。ここで、所定の閾値を超えると（ステップＳ２０３肯定）、処理回路３５０は、指標値が所定の閾値を超えたステントの条件を表示させる（ステップＳ２０４）。
【００７４】
上述したように、第２の実施形態によれば、変更機能３５４は、ステントの条件として、ステントを配置する位置、ステントの長さ及びステントの直径のうち少なくとも１つを変更する。従って、第２の実施形態に係る画像処理装置３００は、治療効果の高いステントの条件を提示することを可能にする。
【００７５】
また、第２の実施形態によれば、表示制御機能３５６は、解析条件としてステントの長さ及び直径のうち少なくとも一方が変更される場合に、血管におけるＦＦＲが所定の値を上回るステントの最短の長さ及び最小の直径のうち少なくとも一方を表示させる。従って、第２の実施形態に係る画像処理装置３００は、被検体への影響が小さく、かつ、治療効果が高いステントの条件を提示することを可能にする。
【００７６】
（第３の実施形態）
さて、これまで第１及び第２の実施形態について説明したが、上述した第１及び第２の実施形態以外にも、種々の異なる形態にて実施されてよいものである。
【００７７】
上述した実施形態では、血流に関する指標値としてＦＦＲを算出する場合を例に挙げて説明したが、実施形態はこれに限定されるものではなく、例えば、圧力、流速、流量、ベクトル及びせん断応力が算出される場合であってもよい。例えば、断面積及び直径が変更された場合に、圧力や、流量、流速などが算出されてもよい。また、範囲や形状などが変更された場合に、圧力、流速、流量、ベクトル及びせん断応力などが算出されてもよい。
【００７８】
また、上述した実施形態では、血管の断面積や直径が変更される場合について説明したが、実施形態ではこれに限定されるものではなく、例えば、血管の形状を変化させる場合であってもよい。例えば、血管にバイパスを形成する場合などのＦＦＲ、圧力、流速、流量、ベクトル及びせん断応力などが算出される場合であってもよい。
【００７９】
また、上述した実施形態では、冠動脈を対象とする場合について説明したが、実施形態はこれに限定されるものではなく、例えば、頸動脈や大腿動脈にステントを留置する場合の治療効果の判定に用いられる場合であってもよい。
【００８０】
また、上述した実施形態では、対象部位に対する手技として、ステントを留置する場合を一例に挙げて説明した。しかしながら、実施形態はこれに限定されるものではなく、種々の手技を適用することができる。具体的には、変更機能３５４は、対象部位に対して施される手技を変更する。以下、第１の実施形態で説明した画像処理装置３００及び第２の実施形態で説明した画像処理装置３００が、対象部位に対して施される手技を変更する例についてそれぞれ説明する。
【００８１】
例えば、第１の実施形態において説明した治療に応じて条件を変更する場合、画像処理装置３００における変更機能３５４は、選択された対象部位に対して施される手技を変更し、変更した手技に応じて、対象部位における圧力、対象部位における断面積、対象部位における形状、又は、解析の対象範囲を変更させる。すなわち、変更機能３５４は、入力回路３３０を介して受け付けた手技内容（治療内容）に応じて、上記した条件を変更し、算出機能３５５が変更後の条件で指標値を算出する。
【００８２】
ここで、入力回路３３０は、手技として、上記したステントの留置の他、薬物療法や、ＤＣＡ（Directional  Coronary  Atherectomy：方向性冠動脈粥腫切除術）、ロータブレータ（Rotational  Coronary  Atherectomy：回転性冠動脈粥腫切除術）などの指定操作を受け付ける。例えば、入力回路３３０が薬物療法の指定操作を受け付けると、変更機能３５４は、薬物による効果に応じて、対象部位における圧力、対象部位における断面積、対象部位における形状、又は、解析の対象範囲を変更させる。一例を挙げると、変更機能３５４は、対象部位における圧力をユーザにより入力された薬物療法プランの内容に応じた値（例えば、狭窄がない血管における圧力損失の情報に基づく圧力の値）に変更する。
【００８３】
同様に、変更機能３５４は、対象部位における断面積及び形状、解析の対象範囲を、薬物療法プランの内容に応じた値に変更することができる。なお、薬物療法に応じた変更の程度は、任意に設定することができる。例えば、薬物の種類や、量、投与される被検体の性別や年齢、対象部位の状態ごとに、予め変更の程度が設定され、変更機能３５４は、入力回路３３０を介して入力されたそれらの情報に基づいて、対象部位における圧力、対象部位における断面積、対象部位における形状、又は、解析の対象範囲を変更させる。なお、対象部位に対する手技が薬物療法であり、変更機能３５４が解析の対象範囲を変更する場合、血管内のすべての対象部位（治療対象部位）に対して解析の対象範囲の変更が実行される。
【００８４】
また、例えば、入力回路３３０がＤＣＡや、ロータブレータの指定操作を受け付けると、変更機能３５４は、ＤＣＡや、ロータブレータ手技のシミュレートによって推測される血管形状変更の効果に応じて、対象部位における圧力、対象部位における断面積、対象部位における形状、又は、解析の対象範囲を変更させる。一例を挙げると、変更機能３５４は、対象部位における圧力をＤＣＡや、ロータブレータに応じた値（例えば、対象部位において切除される予定の石灰化領域を除いた場合に推測される圧力の値）に変更する。例えば、変更機能３５４は、ＤＣＡや、ロータブレータによって切除される石灰化領域の割合に応じた圧力の値に変更する。
【００８５】
同様に、変更機能３５４は、対象部位における断面積及び形状、解析の対象範囲を、ＤＣＡや、ロータブレータの手技内容に応じた値に変更することができる。なお、ＤＣＡや、ロータブレータに応じた変更の程度は、切除される石灰化領域の割合や、切除される位置などの情報を受け付けることにより、適宜調整することができる。
上述したように、変更機能３５４が条件を変更すると、算出機能３５５が、変更後の条件で指標値を再度算出する。そして、表示制御機能３５６が、条件ごとの指標値を比較表示させる。
【００８６】
次に、第２の実施形態にて説明した画像処理装置３００が、対象部位に対して施される手技を変更する例について説明する。この場合、画像処理装置３００は、対象部位に対して施される手技の内容を切り替えてシミュレーションを実行し、結果を提示する。
【００８７】
例えば、入力回路３３０は、対象部位に対してシミュレーションを行いたい手技の種類として、ＤＣＡ及びロータブレータの指定操作を受け付ける。変更機能３５４は、対象部位における圧力の値を、ＤＣＡに応じた圧力の値と、ロータブレータに応じた圧力の値にそれぞれ変更する。算出機能３５５は、ＤＣＡに応じた圧力の値及びロータブレータに応じた圧力の値のそれぞれについて、ＦＦＲの値を算出する。表示制御機能３５６は、ＦＦＲの値の改善度合いの高くなる手技の情報を観察者に提示する。これにより、観察者は、効果の高い手技を容易に把握することができる。
【００８８】
また、上述した実施形態は、３次元の流体解析に限らず、２次元、或いは、１次元の流体解析に適用する場合であってもよい。
【００８９】
また、上述した各実施形態では、被検体の血管が描出された時系列の３次元医用画像データとして、Ｘ線ＣＴ装置によって収集された３次元ＣＴ画像データを用いる場合の例を説明したが、実施形態はこれに限定されるものではない。例えば、時系列の３次元医用画像データとして、他の医用画像診断装置によって収集された医用画像が用いられてもよい。一例を挙げると、ＭＲＩ装置や、超音波診断装置等によって収集された医用画像を用いる場合であってもよい。
【００９０】
また、上述した実施形態では、画像処理装置３００が各種処理を実行する場合について説明した。しかしながら、実施形態はこれに限定されるものではなく、例えば、医用画像診断装置において各種処理が実行される場合であってもよい。かかる場合には、Ｘ線ＣＴ装置や、ＭＲＩ装置、超音波診断装置などの医用画像診断装置が、処理回路３５０と同様の処理回路を有し、収集した医用画像データを用いて上述した処理を実行する。
【００９１】
また、上述した各実施形態の説明で用いた「プロセッサ」という文言は、例えば、ＣＰＵ（Central  Processing  Unit）、ＧＰＵ(Graphics  Processing  Unit)、或いは、特定用途向け集積回路（Application  Specific  Integrated  Circuit：ＡＳＩＣ）、プログラマブル論理デバイス（例えば、単純プログラマブル論理デバイス（Simple  Programmable  Logic  Device：ＳＰＬＤ）、複合プログラマブル論理デバイス（Complex  Programmable  Logic  Device：ＣＰＬＤ）、及びフィールドプログラマブルゲートアレイ（Field  Programmable  Gate  Array：ＦＰＧＡ））等の回路を意味する。ここで、記憶回路にプログラムを保存する代わりに、プロセッサの回路内にプログラムを直接組み込むように構成しても構わない。この場合には、プロセッサは回路内に組み込まれたプログラムを読み出し実行することで機能を実現する。また、本実施形態の各プロセッサは、プロセッサごとに単一の回路として構成される場合に限らず、複数の独立した回路を組み合わせて一つのプロセッサとして構成され、その機能を実現するようにしてもよい。
【００９２】
ここで、プロセッサによって実行されるプログラムは、ＲＯＭ（Read  Only  Memory）や記憶部等に予め組み込まれて提供される。なお、このプログラムは、これらの装置にインストール可能な形式又は実行可能な形式のファイルでＣＤ（Compact  Disk）−ＲＯＭ、ＦＤ（Flexible  Disk）、ＣＤ−Ｒ（Recordable）、ＤＶＤ（Digital  Versatile  Disk）等のコンピュータで読み取り可能な記憶媒体に記録されて提供されてもよい。また、このプログラムは、インターネット等のネットワークに接続されたコンピュータ上に格納され、ネットワーク経由でダウンロードされることにより提供又は配布されてもよい。例えば、このプログラムは、後述する各機能部を含むモジュールで構成される。実際のハードウェアとしては、ＣＰＵが、ＲＯＭ等の記憶媒体からプログラムを読み出して実行することにより、各モジュールが主記憶装置上にロードされて、主記憶装置上に生成される。
【００９３】
以上説明した少なくとも一つの実施形態によれば、血行障害に対する治療効果を事前に判定することができる。
【００９４】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９５】
３００  画像処理装置
３２０  記憶回路
３５０  処理回路
３５４  変更機能
３５５  算出機能
３５６  表示制御機能
【図１】
2017140365.tif 000003
【図２】
2017140365.tif 000004
【図３Ａ】
2017140365.tif 000005
【図３Ｂ】
2017140365.tif 000006
【図４Ａ】
2017140365.tif 000007
【図４Ｂ】
2017140365.tif 000008
【図４Ｃ】
2017140365.tif 000009
【図５Ａ】
2017140365.tif 000010
【図５Ｂ】
2017140365.tif 000011
【図５Ｃ】
2017140365.tif 000012
【図６Ａ】
2017140365.tif 000013
【図６Ｂ】
2017140365.tif 000014
【図７】
2017140365.tif 000015
【図８Ａ】
2017140365.tif 000016
【図８Ｂ】
2017140365.tif 000017
【図９】
2017140365.tif 000018